(57)【特許請求の範囲】
【請求項１】
棚板の前方及び後方に配置される前被係合板部及び後被係合板部と、商品の載置部を仕切る仕切板を備え、
前被係合板部及び後被係合板部は、基板に形成された凹部内に、複数の突条を左右方向に間隔をおいて配置される突条列を前後方向に複数列有しており、
基板上面と各突条の上面は略同一面上に位置するとともに、突条の周りは連続した溝状になっており、
仕切板は、その前後部に係合部を備え、
前被係合板部及び後被係合板部の突条間に仕切板の係合部を挟んで仕切板を固定する
ことを特徴とする棚板。
【発明の詳細な説明】
【技術分野】
【０００１】
本発明は、缶飲料等を陳列するショウケースに使用する棚板に関するものである。
【背景技術】
【０００２】
従来、コンビニエンスストア等の店舗において、例えば缶飲料等の商品を陳列するショウケースとして、販売する商品をショウケースの後方より陳列し、購入者がショウケースの手前より取り出すタイプの陳列棚が利用されているが、そのようなショウケースに使用される棚板には、様々な大きさ（太さ）の商品が陳列される。そのような商品の大きさの違いに対応するために、商品を仕切る仕切りの位置を変更できるタイプの棚板が知られていた（特許文献１）。
【先行技術文献】
【特許文献】
【０００３】
【特許文献１】登録実用新案第３００３８５号公報
【発明の概要】
【発明が解決しようとする課題】
【０００４】
上記先行技術文献においては、棚を幅方向に仕切る仕切り板の両端に係合部を設け、仕切り板の係合部を棚の手前と奥に設けられた係合孔に挿入することによって仕切り板の位置決めを行っていた。
しかしながら、そのような陳列棚においては、仕切り板の位置調節のために係合孔が多数必要となるが、その多くは使用時には仕切り板の係合部が挿入されないこととなり、ほこり等のゴミや水滴が入り込むことがあり、掃除が煩雑で不衛生となることがあった。
【０００５】
本発明は、上記事情を鑑みたものであり、商品を前から取り出すことができるショウケースの棚板において、仕切り板の左右位置調節を可能としながら、ほこり等の溜まりやすい位置調節のための係合孔を設ける必要が無く、棚板の掃除が簡単にできるとともに、前後の係合部に対して仕切り板を係合固定することができる棚板を提供することを目的とするものである。
【課題を解決するための手段】
【０００６】
本発明は、棚板の前方及び後方に配置される前被係合板部及び後被係合板部と、商品の載置部を仕切る仕切板を備え、前被係合板部及び後被係合板部は、基板に形成された凹部内に、前後左右方向に間隔をおいて左右方向に長い突条を有しており、基板上面と各突条の上面は略同一面上に位置するとともに、突条の周りは連続した溝状になっており、仕切板は、その前後部に係合部を備え、前被係合板部及び後被係合板部の突条間に仕切板の係合部を挟んで仕切板を固定することを特徴とする。
【発明の効果】
【０００７】
棚板に仕切板を係合させるための係合孔を設ける必要がなく、被係合部を水で流したり、ブラシでこすることにより簡単に掃除を行うことができ、棚板を清潔に保つことができる。
また、棚板に設けられる仕切板を係合させるための被係合部が左右方向に長い突条により形成され、縦横に並んでいるので、商品が手前に移動してきたときのストッパーとなり、商品の飛び出しが防止できる。
【図面の簡単な説明】
【０００８】
【図１】本発明の実施形態に係る棚板を使用するショウケースの外観図である。
【図２】本発明の実施形態に係る棚板の斜視図である。
【図３】本発明の第１の実施形態に係る棚板の（前）被係合板部を説明するための図であり、（ａ）は斜視図、（ｂ）は平面図である。
【図４】（ａ）は本発明の第２の実施形態に係る棚板の（前）被係合板部の平面図であり、（ｂ）は本発明の第３の実施形態に係る棚板の（前）被係合板部の平面図であり、（ｃ）は本発明の第４の実施形態に係る棚板の（前）被係合板部の平面図である。
【図５】本発明の実施形態に係る棚板の（前）被係合板部の水抜き孔を説明するための図であり、（ａ）は、第２の実施形態の棚板における水抜き孔の配置図、（ｂ）は第３の実施形態における水抜き孔の配置図である。
【図６】本発明の実施形態に係る仕切板の係合構造を説明するための図であり、仕切板の係合部分の縦断面図である。
【発明を実施するための形態】
【０００９】
本発明の実施形態の棚板について、図面を参考にして説明する。
なお、本実施形態の説明においては、ショウケースの商品を取り出す方を「（手）前」といい、ショウケースに向かって右側を「右」という。
（全体の構成）
図１に示すように、本発明の実施形態に係る棚板を備えるショウケースＡは、フレーム１と、フレーム１内に上下方向に複数配置された棚板２、２・・とからなり、棚板２は、フレーム１に対して、後方を高く、手前に行くに従って徐々に低くなるように配置されている。
棚板２の上面には、左右方向に複数の仕切板３が配置されており、仕切板３により仕切られた各領域に同一種類の缶飲料等の商品が前後方向に陳列され、手前の商品を取り出すことにより、重力により後方の商品が自然と手前に移動するように構成されている。
【００１０】
（棚板の構成）
図２に示すように、棚板２は、上面に商品を載置して陳列する載置部２１と、載置部２１の左右両側端に固定される側板２２，２２と、載置部２１の前方に取り外し自在に配置される前被係合板部２３と、載置部２１の後方に取り外し自在に配置される後被係合板部２４とにより構成されている。
【００１１】
載置部２１は、前後方向に複数のローラ２１１ａを有するローラ載置板２１１が棚板２の基板（図示しない）の上面を覆うように複数配置されて構成されており、載置部２１に載置された商品を上面のローラ２１１ａによって前方へ案内し、前被係合板部２３上に至るように構成されている。
棚板２の基板の上面で、ローラ載置板２１１よりも前方位置には、前被係合板部２３が取り外し自在に配置されており、ローラ載置板２１１よりも後方位置には、後被係合板部２４が取り外し自在に配置されている。前被係合板部２３及び後被係合板部２４は、ともに上面に被係合部が形成されており、後述する仕切板３の前後の係合部３２，３２を、前被係合板部２３及び後被係合板部２４の左右位置が揃った被係合部同士に係合することにより、前後方向にまっすぐな陳列領域を形成することができる。
【００１２】
仕切板３は、棚板２の上面を左右方向に仕切る仕切部３１と、仕切部３１の前後端付近の下方に形成された係合部３２，３２とからなり、前後の係合部３２，３２は同一の形状に形成されることで、前後どちらの方向にでも使用可能となっている。
【００１３】
そして、商品が陳列された状態においては、ショウケースＡの前方もしくは後方から、缶飲料等の商品の間に仕切板３を差し込んで、前後の係合部３２，３２を前被係合板部２３及び後被係合板部２４の被係合部に係合させることで、棚板２対して、商品の大きさに応じて仕切板３の左右取付位置を変更して取り付けている。
なお、図２は、棚板２を説明するための図面であり、前被係合板部２３及び後被係合板部２４に形成された被係合部は、本発明の被係合部を表すものではない。
【００１４】
（被係合部の構成）
上記のように、缶飲料等の商品を陳列するショウケースにおいては、仕切板３の前後の係合部３２，３２を、棚板２の載置部２１の前方に配置された前被係合板部２３及び後方に配置された後被係合板部２４の被係合部に係合することによって棚板２に固定しているが、本発明の実施形態においては、仕切板３を固定するための前被係合板部２３及び後被係合板部２４の被係合部を複数の突条ａにより形成している。
以下、本発明の実施形態に係る棚板に採用されている前被係合板部２３及び後被係合板部２４に構成について、図３を参考にして詳細に説明する。
なお、前被係合板部２３と後被係合板部２４とは、概ね同一の構成をなしているので、以下においては、前被係合板部２３を用いて説明する。
【００１５】
−第１の実施形態−
本発明の第１の実施形態に係る棚板に採用されている前被係合板部２３は、図３に示すように、所定高さ寸法を有する平面視略矩形の基板２３１の上面に、平面視略矩形状の凹部２３１ａが形成されており、凹部２３１ａ内に左右前後方向に複数の突条ａを設けることにより形成されている。
突条ａは、左右方向に長い平面視略矩形状をしており、その上面が基板２３１の上面と略同一面上に位置するように形成されている。
【００１６】
突条ａは、左右方向に所定間隔で並べられて突条列２３２ａ乃至突条列２３２ｄを形成しており、突条ａにより形成された複数の突条列２３２ａ乃至突条列２３２ｄが前後方向に複数設けられることにより、仕切板３の係合部３２が係合する被係合部が形成されている。
したがって、突条ａの周りは連続した一つの溝状に形成されることとなり、被係合部に溜まるゴミなどをはき出しやすく、掃除がしやすい構成となっている。
【００１７】
突条列２３２ａ乃至２３２ｄを構成する複数の突条ａの横方向の間隔は、仕切板３の係合部３２の幅と略同一の幅を有しており、前被係合板部２３及び後被係合板部２４の上方より仕切板３を落とし込むことで、係合部３２，３２が突条ａ間に係合することができる。
そして、突条列２３２ａ乃至２３２ｄを構成する突条ａの左右方向位置が、隣接する突条列２３２ａ乃至２３２ｄを構成する突条ａの左右方向位置とずれるように、各突条列２３２ａ乃至２３２ｄが配置されている。
【００１８】
したがって、突条ａにより形成される被係合部の左右方向の間隔を細かく設けて仕切板３の位置調節を細かく行うことができるとともに、前後の被係合板部として同一の被係合板部を用いることで、仕切板３の前後の係合部３２，３２において掛け違いを防止することができる。
【００１９】
−第２の実施形態−
上記第１の実施形態においては、複数の突条ａが同一の形状であるのに対して、本発明の第２の実施形態は、複数の突条が長、中、短の３種類の長さを持つ突条により形成されている点で第１の実施形態と異なっている。その他の構成については、概ね同じである。
以下、図４（ａ）を参考に説明する。
【００２０】
第２の実施形態に係る棚板２に採用されている前被係合板部２３の突条は、その形状（横方向長さ）が一定ではなく、左右方向の長さが長い長突条ａ１と、左右方向の長さが短い短突条ａ３と、左右方向の長さが長突条ａ１よりは短いが短突条ａ３よりは長い中突条ａ２とからなっており、それらの組合せにより仕切板３の係合部３２が係合する被係合部が形成されている。
【００２１】
具体的には、図４（ａ）に示すように、前被係合板部２３の基板２３１に形成された凹部２３１ａ内には前後方向に所定の間隔を空けて４列の突条列２３２ｅ，２３２ｆ、２３２ｇ，２３２ｈが形成されており、４列の突条列２３２ｅ，２３２ｆ、２３２ｇ，２３２ｈのうち、最も後方の突条列２３２ｅと最も前方の突条列２３２ｈは長突条ａ１が仕切板３の幅寸法の間隔をあけて横方向に並べて形成されており、中間の２列の突条列２３２ｆ，２３２ｇは、中突条ａ２と短突条ａ３とを交互に仕切板３の幅寸法の間隔を空けて横方向に並べて形成されている。
【００２２】
中間の突条列２３２ｆ，２３２ｇの中突条ａ２と短突条ａ３とを並べて形成した（長さの異なる突条を組み合わせて形成した）突条群の左右方向の寸法は、長突条ａ１の左右方向の長さ寸法と略同じとなるように各突条ａ１ないしａ３の長さ及び配置間隔が設定されており、後方の突条列２３２ｅの長突条ａ１に対して、後方中間の突条列２３２ｆの中突条ａ２及び前方中間の突条列２３２ｇの短突条ａ３の左右方向の中心が揃うように、また、前方の突条列２３２ｈの長突条ａ１に対して、前方中間の突条列２３２ｇの中突条ａ２及び後方中間の突条列２３２ｆの短突条ａ３の左右方向の中心が揃うように各突条列２３２ｅ，２３２ｆ、２３２ｇ，２３２ｈが配置されている。
各突条列２３２ｅ，２３２ｆ、２３２ｇ，２３２ｈにおいて、長さの異なる突条の中心を合わせて配置することによって、各突条列２３２ｅ，２３２ｆ、２３２ｇ，２３２ｈの突条の左右方向の間、すなわち仕切板３の係合部３２を係合する突条の間の前後には、その前後方向に存在する他の突条列の突条の前後の壁面若しくは、凹部２３１ａを形成する壁面が存在することとなり、仕切板３の係合部３２が前後方向に移動することを防止して、仕切板３の安定した係止を行うことができる。
【００２３】
そして、第２の実施形態に係る棚板においては、前被係合板部２３に形成される最後方及び最前方の突条列２３２ｅ，２３２ｈが左右幅方向に長い長突条ａ１により形成されているので、長突条ａ１の長さを載置する缶飲料等の大きさに合わせて設定することができ、それにより、仕切板３の前後位置を揃えた状態で、缶飲料等に適した等間隔に簡単に配置することができるとともに、仮に、大きさが異なる缶飲料等を並べる必要が生じた場合であっても、中間の突条列２３２ｆ，２３２ｇを利用することにより、仕切板３の間隔を細かく、且つ簡単に調節することができる。
【００２４】
−第３の実施形態−
上記第２の実施形態においては、突条列は４列に構成され、最前列及び最後列の突条列２３２ｅ，２３２ｈの複数の突条ａが長突条ａ１により形成されていたが、本発明の第３の実施形態は、第２の実施形態に係る棚板の最前列の突条列に相当する突条列が省略されており、３列の突条列により構成されている点で第２の実施形態と異なっている。
【００２５】
図４（ｂ）に示すように、前被係合板部２３の基板２３１に形成された凹部２３１ａ内には前後方向に所定の間隔を空けて３列の突条列２３２ｅ，２３２ｆ、２３２ｇが形成されており、４列の突条列を有する第２の実施形態の棚板から、最も前方の突条列２３２ｈが削除されている。
長突条ａ１が横方向に並べて形成される突条列は一列あれば効果の上では十分であることから、最後方もしくは最前方の何れかの突条列を削除しても第２の実施形態と同様の作用・効果を有しながら、奥行き方向の寸法を短くすることができる。
なお、奥行き方向の寸法をさらに短く形成したり、簡単な構成とする場合には、図４（ｃ）に示す第４の実施形態のように、最後方及び最前方の突条列を削除して、２列の突条列により構成することもできる。
【００２６】
以上の第２の実施形態及び第３の実施形態の棚板においては、突条列は４列、もしくは３列に構成されており、突条も３種類の突条により形成されているが、突条列の数及び突条の種類は複数であればよく、複数形成した各突条列のいずれか一つの突条列を最も長い突条を並べて形成し、他の突条列を隣接する２つの突条により構成される突条群ｂを並べて形成するとともに、他の突条列の突条群ｂの寸法を最も長い突条の寸法と等しく設定すればよい。また、第４の実施形態のように、各突条列を隣接する２つの突条により構成される突条群を並べて形成するとともに、各突条列の突条群の寸法を等しく設定し、且つ、各突条列を構成する突条の左右方向中心位置が等しく構成されるものであれば、特に突条列の数や突条の種類の数は限定されるものではない。
【００２７】
−水抜き孔の構成−
本発明の実施形態の棚板の前被係合板部２３は、溝内に溜まった水やほこり等のゴミを排出するために、基板２３１の凹部２３１ａに水抜き孔ｃが形成されている。
水抜き孔ｃは、図５（ａ）、（ｂ）に示すように、平面視で突条ａの左右方向の突条間に連続する形状をなしており、凹部２３１ａ内に落ち込んだゴミ等を速やかに排出し、仕切板３の係合部３２がゴミ等によってその係合が妨げることがないように構成されている。
なお、水抜き孔ｃは、凹部２３１ａの溝内に溜まった水等を排出することができれば、その形状や位置は特に特定されるものではなく、凹部２３１ａの側壁部を含めどこにどのように設けてもよい。
このように、前被係合板部２３の基板２３１の凹部２３１ａに水抜き孔ｃを形成することにより、水やほこりを排出することができることはもちろんのこと、水抜き孔部分の材料の節約ができ、また、重量的にも軽量化を行うことができる。
【００２８】
−仕切板の係合部の構造−
仕切板３の係合部３２と前被係合板部２３の被係合部との係合構造について、第３の実施形態の棚板の前被係合板部２３を用いて説明する。
仕切板３の前後端部近傍に形成される係合部３２は、仕切板３の前後の最端部に形成されておらず、係合部３２のさらに前後端方向には、前被係合板部２３の被係合部に係合部３２を係合した際に被係合部の前後方向外方に位置する突条ａ上面もしくは基板２３１上面に載置される外端載置面３１ａを有している。
そして、棚板に対して仕切板３を係合するに際しては、左右方向に隣接するいずれかの突条の間に係合部３２を挿入することにより、係合部３２が突条によりその前後左右の位置が規制されるとともに、仕切部３１の係合部３２の外方の外端載置面３１ａが基板２３１の上面や突条の上面に載置されることで、仕切板３の高さ位置が規制されて、前後の被係合板部の上面に対して仕切板３が常に同じ高さに係合されるように構成されており、仕切板３の係合部３２が基板２３１の凹部２３１ａの底壁に当接したり、水抜き孔ｃに落ち込んだりして仕切板３の高さが変化したり、仕切板３が傾斜したりすることはない。
また、各突条の上面には、前後方向に延びるリブｒが形成されており、棚板の前被係合板部２３の上面に載置された缶飲料等の商品の底面との接触面積を減少させて、商品が前方に滑って移動しやすくしている。
【００２９】
以上のように、本発明の第１及び第２の実施形態に係る棚板においては、棚板の前後位置に配置される前被係合板部及び後被係合板部の被係合部を複数の突条によって形成したので、突条の周りは連続する溝状に形成することができ、溝状の部分をブラシではき出したり、水道水により洗い流すことにより簡単に掃除を行うことができる。
また、突条は、左右方向に長い形状をしており、複数の突条を左右方向に間隔をおいて配置される突条列が前後方向に複数列形成されているので、手前に移動してくる商品の勢いを抑え、商品の棚板からの飛び出しを防止することができるとともに、突条ａの上面の面取り等を行うことにより、仕切板の係合部が嵌まりこみ易く、仕切板の位置調節及び係合固定を簡単に行うことができる。
さらに、仕切板の係合部を係合する突条列は、前後の被係合板部で同じとなり、他の突条列には係合しないので、仕切板の掛け違いを防止することができる。
【００３０】
本発明の第２、３の実施形態に係る棚板においては、被係合板部の係合列を構成する突条を複数長さの突条から形成し、最後方若しくは最前方の突条列を構成する突条を左右方向に長い長突条により形成しているので、長突条の長さを缶飲料の大きさに合わせることにより、棚板に対して仕切板を缶飲料の大きさにあった等間隔に簡単に取り付けることができるとともに、異なる大きさの缶飲料を載置する場合の仕切板の間隔の微調節にも対応することができる。
また、本発明の第４の実施形態においては、被係合板部の奥行き寸法をさらに短くすることができ、構成が単純で製造が比較的容易である。
なお、本実施形態においては、前後の被係合板部を棚板に対して取り外し自在に配置しているが、棚板の前方及び後方の部位を基板として構成し、直接凹部を設けて、その凹部内に突条を設けることで、前後の被係合板部を形成しても、即ち、前後の被係合板部を棚板と一体のものとしてもよい。
【符号の説明】
【００３１】
１        ：フレーム
２        ：棚板
２１      ：載置部
２１１    ：ローラ載置板
２１１ａ  ：ローラ
２２      ：側板
２３      ：前被係合板部
２３１    ：基板
２３１ａ  ：凹部
２３２ａ  ：突条列
２３２ｂ  ：突条列
２３２ｃ  ：突条列
２３２ｄ  ：突条列
２３２ｅ  ：突条列
２３２ｆ  ：突条列
２３２ｇ  ：突条列
２３２ｈ  ：突条列
２４      ：後被係合板部
３        ：仕切板
３１      ：仕切部
３１ａ    ：外端載置面
３２      ：係合部
ａ        ：突条
ａ１      ：長突条
ａ２      ：中突条
ａ３      ：短突条
ｂ        ：突条群
ｃ        ：水抜き孔
ｒ        ：リブ
【図１】
0006592794.tif 000002
【図２】
0006592794.tif 000003
【図３】
0006592794.tif 000004
【図４】
0006592794.tif 000005
【図５】
0006592794.tif 000006
【図６】
0006592794.tif 000007